(57)【要約】【課題】  ファンケース内における渦流の発生を抑制し、排塵ファンの吸引効率を高める。【解決手段】  穀粒を揺動選別する揺動選別体２１と、該揺動選別体２１の後方に配置されるファンケース１７と、該ファンケース１７内に横設される横断流式の排塵ファン１８とを備え、ファンケース１７上部の吸入口１７ａから吸入した排塵風を、ファンケース１７下部の排出口１７ｂから排出するように構成される穀粒選別装置１であって、ファンケース１７の吸入口１７ａ近傍に、吸入される排塵風の向きを変換して、ファンケース１７内における渦流の発生を抑制する指向部２７を設ける。【選択図】        図４
2006055023.tif 000002
【特許請求の範囲】
【請求項１】
穀粒を揺動選別する揺動選別体と、該揺動選別体の後方に配置されるファンケースと、該ファンケース内に横設される横断流式の排塵ファンとを備え、ファンケース上部の吸入口から吸入した排塵風を、ファンケース下部の排出口から排出する穀粒選別装置において、
前記ファンケースの吸入口近傍には、吸入される排塵風の向きを変換して、ファンケース内における渦流の発生を抑制する指向部が設けられることを特徴とする穀粒選別装置。
【請求項２】
前記ファンケースは、前記排塵ファンの前側に沿う円弧部を有し、当該円弧部をファン最上位置まで延設すると共に、当該最上位置から後方上方に立ち上がる立上り面を形成したことを特徴とする請求項１記載の穀粒選別装置。
【発明の詳細な説明】
【技術分野】
【０００１】
本発明は、コンバインやハーベスタに設けられる穀粒選別装置に関する。
【背景技術】
【０００２】
穀粒を揺動選別する揺動選別体の後方に、ファンケースを構成すると共に、該ファンケース内に、横断流式の排塵ファンを横設した穀粒選別装置が知られている（例えば、特許文献１、２参照。）。この種の穀粒選別装置では、選別室内の塵埃がファンケース上部の吸入口から吸入され、ファンケース下部の排出口から排出される。
【特許文献１】特開平１１−２６６６８８号公報
【特許文献２】特開平１１−２６６６８９号公報
【発明の開示】
【発明が解決しようとする課題】
【０００３】
しかしながら、上記従来の穀粒選別装置では、図５に示すように、ファンケースの風切点近傍に渦流が発生するという問題がある。風切点付近に渦流が発生すると、排塵ファンの吸引効率が低下するだけでなく、排塵ファンに屑が付着し易くなるため、所望の吸引性能が得られない可能性がある。従来では、このような問題に対処するために、排塵ファンの回転数を高めに設定しており、その結果、騒音の発生も問題となっていた。
【課題を解決するための手段】
【０００４】
本発明は、上記の如き実情に鑑みこれらの課題を解決することを目的として創作されたものであって、穀粒を揺動選別する揺動選別体と、該揺動選別体の後方に配置されるファンケースと、該ファンケース内に横設される横断流式の排塵ファンとを備え、ファンケース上部の吸入口から吸入した排塵風を、ファンケース下部の排出口から排出する穀粒選別装置において、前記ファンケースの吸入口近傍には、吸入される排塵風の向きを変換して、ファンケース内における渦流の発生を抑制する指向部が設けられることを特徴とする。このように構成すれば、ファンケース内における渦流の発生が抑制されるので、排塵ファンの吸引効率を高めることができる。また、排塵ファンの回転数を低めに設定できるため、騒音の発生も抑えることができる。
また、前記ファンケースは、前記排塵ファンの前側に沿う円弧部を有し、当該円弧部をファン最上位置まで延設すると共に、当該最上位置から後方上方に立ち上がる立上り面を形成したことを特徴とする。このように構成すれば、ファンケース内における渦流の発生を更に抑え、排塵ファンの吸引効率を一層高めることが可能になる。
【発明を実施するための最良の形態】
【０００５】
次に、本発明の実施形態について、図面に基づいて説明する。図１において、１は穀粒選別装置であって、該穀粒選別装置１は、茎稈を扱室２に沿って挟持搬送する脱穀フィードチェン３と、搬送茎稈から被選別物（混合物を含む穀粒）を脱穀する扱胴４と、脱穀された被選別物を漏下する受網５と、受網５から漏下した被選別物を順次揺動搬送する揺動流板６と、該揺動流板６の終端部で被選別物を層状選別（比重選別）するチャフシーブ７、８と、該チャフシーブ７、８から漏下した被選別物を篩選別するグレインシーブ９と、前記グレインシーブ９から漏下した穀粒を一番ラセン１０に導く前低後高状の一番流板１１と、該一番流板１１の前方で選別風を起風する圧風ファン１２と、前記チャフシーブ７、８の後方に配置されるストロラック１３と、該ストロラック１３から漏下した被選別物を二番ラセン１４に導く前低後高状の二番流板１５と、前記二番ラセン１４の前方で選別風を起風する二番選別ファン１６と、選別室の終端部に構成されるファンケース１７と、該ファンケース１７内に設けられる排塵ファン１８と、脱穀処理済みの排藁を、四番口１９を介して機外に排出搬送する排藁チェン２０とを備えて構成されている。
【０００６】
揺動流板６、チャフシーブ７、８、グレインシーブ９、一番流板１１、ストロラック１３及び二番流板１５は、揺動選別体２１に設けられている。揺動選別体２１は、選別室に揺動自在に支持されており、クランク機構又はカム機構からなる揺動機構２２によって所定の周期で連続的に往復揺動される。
【０００７】
図２は、穀粒選別装置１における選別風の流れを示している。この図に示すように、圧風ファン１２が起風した選別風は、チャフシーブ７、８、グレインシーブ９などを吹き抜けてファンケース１７に到達する。また、二番選別ファン１６が起風した二番選別風は、ストロラック１３を吹き抜けてファンケース１７に到達する。ファンケース１７に到達した選別風は、藁屑や塵埃を含む排塵風であり、ファンケース１７の上部に形成される吸入口１７ａからファンケース１７内に吸入され、ファンケース１７の下部に形成される排出口１７ｂから排出される。
【０００８】
図３及び図４に示すように、排塵ファン１８は、いわゆる横断流ファンとして構成されており、ファンケース１７に回転自在に横架される回転軸１８ａと、該回転軸１８ａに所定の間隔を存して固設されるディスク１８ｂと、ディスク１８ｂ間に架設される多数の羽根板１８ｃとを備えている。多数の羽根板１８ｃは、排塵ファン１８の外周部に、周方向に所定の間隔を存して並設されており、図４における反時計回り方向の回転に伴い、吸入口１７ａから排塵風を吸入し、これを排出口１７ｂから排出させる。
【０００９】
ファンケース１７は、吸入口１７ａから排出口１７ｂに至る左側面視逆Ｓ字状の排塵風路を形成しており、この排塵風路の中間部に排塵ファン１８が横設されている。本実施形態のファンケース１７は、排塵風路の左右側を覆う側面板２３と、排塵風路の前側を覆う前面板２４と、排塵風路の後側を覆う後面板２５とからなり、前面板２４の上端部と、揺動選別体２１の後端部との間は、ゴム板２６などを用いて塞がれている。
【００１０】
前面板２４は、排塵ファン１８の前側外周に沿う円弧部２４ａと、該円弧部２４ａの下端から排出口１７ｂに至る直線状の排出部２４ｂとを有しており、また、後面板２５は、吸入口１７ａから排塵ファン１８まで排塵風を導く円弧状の導入部２５ａと、該導入部２５ａの下端から連続し、排塵ファン１８の後側外周に沿う円弧部２５ｂと、該円弧部２５ｂの下端から排出口１７ｂに至る直線状の排出部２５ｃとを有している。従来、このようなファンケース１７では、図５に示すように、風切点近傍に渦流が発生し、この渦流によって、排塵ファン１８の吸引効率が低下したり、排塵ファン１８に屑が付着し易くなるという問題があった。
【００１１】
図４に示すように、本発明のファンケース１７は、吸入口１７ａの近傍に、排塵風の向きを変換する指向部２７を備える。例えば、後面板２５の導入部２５ａにおける二番流板１５の上端部後方位置に指向部２７が設けられる。この指向部２７は、後面板２５の導入部２５ａに沿って吸入される排塵風の一部を、風切点近傍に向かせることにより、風切点近傍の渦流を排塵ファン１８に押し込み、或いは、渦流が排塵ファン１８に吸い込まれ易くする。これにより、ファンケース１７内における渦流の発生が抑制され、排塵ファン１８の吸引効率を高めることが可能になる。
【００１２】
本実施形態では、指向部２７を板部材で構成し、これをファンケース１７の全幅に亘って設けている。このようにすると、ファンケース１７の幅方向全域で渦流の発生を抑制することが可能になるが、指向部２７は、ファンケース１７における幅領域の一部に設けるようにしてもよい。また、指向部２７は、板材以外の部材で形成したり、ファンケース１７に一体形成してもよい。
【００１３】
また、本実施形態のファンケース１７では、排塵ファン１８の前側に沿う円弧部２４ａをファン最上位置まで延設すると共に、当該最上位置から後方上方に立ち上がる立上り面部２４ｃを形成してある。この立上り面部２４ｃは、ファンケース１７の前面板２４をファン最上位置よりも後方まで延長させる機能と、所定の喰い込み角（θ＜９０°）によって図４に示す２点鎖線領域を省く機能をもち、これらの機能によって以下の作用効果を奏する。
【００１４】
図５に示すように、従来では、ファンケース１７の前面板２４をファン最上位置までしか形成していないため、排塵風の逆流によって渦流が発生しやすかったが、本実施形態では、ファン最上位置よりも後方に延出する立上り面部２４ｃで排塵風の逆流を防ぐことにより、渦流の発生が抑制される。前面板２４をファン最上位置よりも後方に延出させる場合、延出部を排塵ファン１８の外周に沿わせることも考えられるが、このようにすると、図４に示す２点鎖線領域によって吸入口が狭くなり、排塵の吸引効率が低下する惧れがある。その点、本実施形態のものは、所定の喰い込み角（θ＜９０°）によって図４に示す２点鎖線領域を省くので、吸入口を狭くする不都合がなく、しかも、立上り面部２４ｃが前低後高状に傾斜するため、指向部２７で向きが変換された排塵風を排塵ファン１８の内部にスムーズにガイドすることが可能になる。
【００１５】
叙述の如く構成された本実施形態の穀粒選別装置１は、穀粒を揺動選別する揺動選別体２１と、該揺動選別体２１の後方に配置されるファンケース１７と、該ファンケース１７内に横設される横断流式の排塵ファン１８とを備え、ファンケース１７上部の吸入口１７ａから吸入した排塵風を、ファンケース１７下部の排出口１７ｂから排出するように構成されるものであるが、ファンケース１７の吸入口１７ａ近傍には、吸入される排塵風の向きを変換して、ファンケース１７内における渦流の発生を抑制する指向部２７が設けられるので、渦流の発生を抑制して、排塵ファン１８の吸引効率を高めることができる。また、排塵ファン１８の回転数を低めに設定できるため、騒音の発生も抑えることができる。
【００１６】
また、ファンケース１７は、排塵ファン１８の前側に沿う円弧部２４ａを有し、当該円弧部２４ａをファン最上位置まで延設すると共に、当該最上位置から後方上方に立ち上がる立上り面２４ｃを有するため、ファンケース１７内における渦流の発生を更に抑え、排塵ファン１８の吸引効率を一層高めることができる。
【図面の簡単な説明】
【００１７】
【図１】穀粒選別装置の内部側面図である。
【図２】穀粒選別装置における選別風及び排塵風の流れを示す説明図である。
【図３】ファンケース部の後面図である。
【図４】本発明の実施形態に係るファンケースの内部側面図である。
【図５】従来例に係るファンケースの内部側面図である。
【符号の説明】
【００１８】
１      穀粒選別装置
１７    ファンケース
１７ａ  吸入口
１７ｂ  排出口
１８    排塵ファン
２１    揺動選別体
２４    前面板
２４ａ  円弧部
２４ｃ  立上り面部
２５    後面板
２７    指向部
【図１】
2006055023.tif 000003
【図２】
2006055023.tif 000004
【図３】
2006055023.tif 000005
【図４】
2006055023.tif 000006
【図５】
2006055023.tif 000007